(57)【要約】【課題】複数の携帯端末を用いて、元の画面の全体を大きなサイズで見る。【解決手段】本発明の携帯端末システムは、複数の携帯端末の各々に元の画面を分割した分割画面を表示し、分割画面を連結して元の画面を大きなサイズで表示するシステムである。複数の携帯端末の各々は、表示部と、他の携帯端末と非接触通信を行う非接触通信部と、非接触通信部による非接触通信を通じて複数の携帯端末を認識し、元の画面が自己の携帯端末に表示中の画面である場合、複数の携帯端末の各々に分割画面を割り当て、割り当てた分割画面の情報を、複数の携帯端末のうち自己の携帯端末以外の携帯端末に非接触通信部を介して通知する連動動作部と、自己または他の携帯端末により割り当てられた分割画面の情報に基づいて、元の画面を自己の携帯端末に割り当てられた分割画面に加工し、加工した分割画面を表示部に表示する画面加工部と、を有する。【選択図】図１
2009094775.tif 000002
【特許請求の範囲】
【請求項１】
複数の携帯端末の各々に元の画面を分割した分割画面を表示し、前記分割画面を連結して表示する携帯端末システムであって、
前記複数の携帯端末の各々は、
表示部と、
他の携帯端末と非接触通信を行う非接触通信部と、
前記非接触通信部による非接触通信を通じて前記複数の携帯端末を認識し、元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に前記非接触通信部を介して通知する連動動作部と、
自己または他の携帯端末により割り当てられた分割画面の情報に基づいて、元の画面を自己の携帯端末に割り当てられた分割画面に加工し、加工した分割画面を前記表示部に表示する画面加工部と、を有する携帯端末システム。
【請求項２】
前記連動動作部は、
自己の携帯端末と、
自己の携帯端末と非接触通信を行う他の携帯端末と、
自己の携帯端末と非接触通信を行う他の携帯端末を介して、間接的に非接触通信を行うさらに他の携帯端末と、
を前記複数の携帯端末と認識する、請求項１に記載の携帯端末システム。
【請求項３】
前記連動動作部は、自己の携帯端末と非接触通信を行う他の携帯端末の情報を、前記複数の携帯端末のうち自己の携帯端末以外の携帯端末に前記非接触通信部を介して相互に通知することで、前記複数の携帯端末を認識する、請求項２に記載の携帯端末システム。
【請求項４】
前記非接触通信部は、
非接触ＩＣと、
他の携帯端末の前記非接触ＩＣから非接触で情報を読み取る非接触ＩＣ読取部と、を有し、
前記連動動作部は、自己の携帯端末から通知する情報を前記非接触ＩＣに書き込み、他の携帯端末から通知される情報を当該他の携帯端末の前記非接触ＩＣから前記非接触ＩＣ読取部に読み取らせる、請求項１から３のいずれか１項に記載の携帯端末システム。
【請求項５】
前記非接触ＩＣは、前記表示部上の異なる位置に複数設けられており、
前記連動動作部は、他の携帯端末の複数の非接触ＩＣのうち情報を読み取った非接触ＩＣの位置に応じて決まる当該他の携帯端末の位置の情報を、前記複数の携帯端末のうち自己の携帯端末以外の携帯端末に前記非接触通信部を介して相互に通知することで、前記複数の携帯端末の位置関係を認識する、請求項４に記載の携帯端末システム。
【請求項６】
前記連動動作部は、前記複数の携帯端末の位置関係に基づいて、前記複数の携帯端末の各々に分割画面を割り当てる、請求項５に記載の携帯端末システム。
【請求項７】
複数の携帯端末の各々に元の画面を分割した分割画面を表示し、前記分割画面を連結して表示する携帯端末システムにおける前記複数の携帯端末のうちの１つの携帯端末であって、
表示部と、
他の携帯端末と非接触通信を行う非接触通信部と、
前記非接触通信部による非接触通信を通じて前記複数の携帯端末を認識し、元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に前記非接触通信部を介して通知する連動動作部と、
自己または他の携帯端末により割り当てられた分割画面の情報に基づいて、元の画面を自己の携帯端末に割り当てられた分割画面に加工し、加工した分割画面を前記表示部に表示する画面加工部と、を有する携帯端末。
【請求項８】
前記連動動作部は、
自己の携帯端末と、
自己の携帯端末と非接触通信を行う他の携帯端末と、
自己の携帯端末と非接触通信を行う他の携帯端末を介して、間接的に非接触通信を行うさらに他の携帯端末と、
を前記複数の携帯端末と認識する、請求項７に記載の携帯端末。
【請求項９】
前記連動動作部は、自己の携帯端末と非接触通信を行う他の携帯端末の情報を、前記複数の携帯端末のうち自己の携帯端末以外の携帯端末に前記非接触通信部を介して相互に通知することで、前記複数の携帯端末を認識する、請求項８に記載の携帯端末。
【請求項１０】
前記非接触通信部は、
非接触ＩＣと、
他の携帯端末の前記非接触ＩＣから非接触で情報を読み取る非接触ＩＣ読取部と、を有し、
前記連動動作部は、自己の携帯端末から通知する情報を前記非接触ＩＣに書き込み、他の携帯端末から通知される情報を当該他の携帯端末の前記非接触ＩＣから前記非接触ＩＣ読取部に読み取らせる、請求項７から９のいずれか１項に記載の携帯端末。
【請求項１１】
前記非接触ＩＣは、前記表示部上の異なる位置に複数設けられており、
前記連動動作部は、他の携帯端末の複数の非接触ＩＣのうち情報を読み取った非接触ＩＣの位置に応じて決まる当該他の携帯端末の位置の情報を、前記複数の携帯端末のうち自己の携帯端末以外の携帯端末に前記非接触通信部を介して相互に通知することで、前記複数の携帯端末の位置関係を認識する、請求項１０に記載の携帯端末。
【請求項１２】
前記連動動作部は、前記複数の携帯端末の位置関係に基づいて、前記複数の携帯端末の各々に分割画面を割り当てる、請求項１１に記載の携帯端末。
【請求項１３】
複数の携帯端末の各々に元の画面を分割した分割画面を表示し、前記分割画面を連結して表示する携帯端末システムにおける前記複数の携帯端末のうちの１つの携帯端末による画面表示方法であって、
他の携帯端末との非接触通信を通じて前記複数の携帯端末を認識する認識ステップと、
元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に非接触通信によって通知する割当ステップと、
自己または他の携帯端末により割り当てられた分割画面の情報に基づいて、元の画面を自己の携帯端末に割り当てられた分割画面に加工し、加工した分割画面を表示部に表示する表示ステップと、を有する画面表示方法。
【請求項１４】
前記認識ステップでは、
自己の携帯端末と、
自己の携帯端末と非接触通信を行う他の携帯端末と、
自己の携帯端末と非接触通信を行う他の携帯端末を介して、間接的に非接触通信を行うさらに他の携帯端末と、
を前記複数の携帯端末と認識する、請求項１３に記載の画面表示方法。
【請求項１５】
前記認識ステップでは、
自己の携帯端末と非接触通信を行う他の携帯端末の情報を、前記複数の携帯端末のうち自己の携帯端末以外の携帯端末に、非接触通信によって相互に通知することで、前記複数の携帯端末を認識する、請求項１４に記載の画面表示方法。
【請求項１６】
非接触通信においては、自己の携帯端末から通知する情報を自己の携帯端末の非接触ＩＣに書き込み、他の携帯端末から通知される情報を当該他の携帯端末の非接触ＩＣから読み取る、請求項１３から１５のいずれか１項に記載の画面表示方法。
【請求項１７】
前記非接触ＩＣを、前記携帯端末の前記表示部上の異なる位置に複数設けることとし、
前記認識ステップでは、
他の携帯端末の複数の非接触ＩＣのうち情報を読み取った非接触ＩＣの位置に応じて決まる当該他の携帯端末の位置の情報を、前記複数の携帯端末のうち自己の携帯端末以外の携帯端末に非接触通信によって相互に通知することで、前記複数の携帯端末の位置関係を認識する、請求項１６に記載の画面表示方法。
【請求項１８】
前記割当ステップでは、
前記複数の携帯端末の位置関係に基づいて、前記複数の携帯端末の各々に分割画面を割り当てる、請求項１７に記載の画面表示方法。
【請求項１９】
複数の携帯端末の各々に元の画面を分割した分割画面を表示し、前記分割画面を連結して表示する携帯端末システムにおける前記複数の携帯端末のうちの１つの携帯端末に、
他の携帯端末との非接触通信を通じて前記複数の携帯端末を認識する認識手順と、
元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に非接触通信によって通知する割当手順と、
自己または他の携帯端末により割り当てられた分割画面の情報に基づいて、元の画面を自己の携帯端末に割り当てられた分割画面に加工し、加工した分割画面を表示部に表示する表示手順と、を実行させるプログラム。
【請求項２０】
前記認識手順では、
自己の携帯端末と、
自己の携帯端末と非接触通信を行う他の携帯端末と、
自己の携帯端末と非接触通信を行う他の携帯端末を介して、間接的に非接触通信を行うさらに他の携帯端末と、
を前記複数の携帯端末と認識する、請求項１９に記載のプログラム。
【請求項２１】
前記認識手順では、
自己の携帯端末と非接触通信を行う他の携帯端末の情報を、前記複数の携帯端末のうち自己の携帯端末以外の携帯端末に、非接触通信によって相互に通知することで、前記複数の携帯端末を認識する、請求項２０に記載のプログラム。
【請求項２２】
非接触通信においては、自己の携帯端末から通知する情報を自己の携帯端末の非接触ＩＣに書き込み、他の携帯端末から通知される情報を当該他の携帯端末の非接触ＩＣから読み取る、請求項１９から２１のいずれか１項に記載のプログラム。
【請求項２３】
前記非接触ＩＣを、前記携帯端末の前記表示部上の異なる位置に複数設けることとし、
前記認識手順では、
他の携帯端末の複数の非接触ＩＣのうち情報を読み取った非接触ＩＣの位置に応じて決まる当該他の携帯端末の位置の情報を、前記複数の携帯端末のうち自己の携帯端末以外の携帯端末に非接触通信によって相互に通知することで、前記複数の携帯端末の位置関係を認識する、請求項２２に記載のプログラム。
【請求項２４】
前記割当手順では、
前記複数の携帯端末の位置関係に基づいて、前記複数の携帯端末の各々に分割画面を割り当てる、請求項２３に記載のプログラム。
【発明の詳細な説明】
【技術分野】
【０００１】
本発明は、複数の携帯端末の各々に元の画面を分割した分割画面を表示し、分割画面を連結して元の画面を大きなサイズで表示する技術に関する。
【背景技術】
【０００２】
携帯電話機等の携帯端末は、携帯性という特性上、表示部のサイズを必要以上に大きくすることができない。
【０００３】
そのため、ユーザは、携帯端末に表示する画面のサイズが大きい場合、画面の全体を見るには縮小表示を行うなどで対処するしかなく、元の画面の全体を大きなサイズで見ることができなかった。
【０００４】
このような問題を解決するために、特許文献１に記載された技術を利用することが考えられる。特許文献１に記載の技術は、複数の携帯端末の画面を連結する技術である。
【特許文献１】特開２００７−０７８３９６号公報
【発明の開示】
【発明が解決しようとする課題】
【０００５】
しかしながら、特許文献１に開示された技術においては、複数の携帯端末の各々は、元々は１つであった画面ではなく、全く異なる画面を表示しているため、元の画面の全体を大きなサイズで見るという課題は依然として残る。
【０００６】
そこで、本発明の目的は、上述した課題を解決する携帯端末システム、携帯端末、画面表示方法、プログラムを提供することにある。
【課題を解決するための手段】
【０００７】
本発明の携帯端末システムは、
複数の携帯端末の各々に元の画面を分割した分割画面を表示し、前記分割画面を連結して表示する携帯端末システムであって、
前記複数の携帯端末の各々は、
表示部と、
他の携帯端末と非接触通信を行う非接触通信部と、
前記非接触通信部による非接触通信を通じて前記複数の携帯端末を認識し、元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に前記非接触通信部を介して通知する連動動作部と、
自己または他の携帯端末により割り当てられた分割画面の情報に基づいて、元の画面を自己の携帯端末に割り当てられた分割画面に加工し、加工した分割画面を前記表示部に表示する画面加工部と、を有する。
【０００８】
本発明の携帯端末は、
複数の携帯端末の各々に元の画面を分割した分割画面を表示し、前記分割画面を連結して表示する携帯端末システムにおける前記複数の携帯端末のうちの１つの携帯端末であって、
表示部と、
他の携帯端末と非接触通信を行う非接触通信部と、
前記非接触通信部による非接触通信を通じて前記複数の携帯端末を認識し、元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に前記非接触通信部を介して通知する連動動作部と、
自己または他の携帯端末により割り当てられた分割画面の情報に基づいて、元の画面を自己の携帯端末に割り当てられた分割画面に加工し、加工した分割画面を前記表示部に表示する画面加工部と、を有する。
【０００９】
本発明の画面表示方法は、
複数の携帯端末の各々に元の画面を分割した分割画面を表示し、前記分割画面を連結して表示する携帯端末システムにおける前記複数の携帯端末のうちの１つの携帯端末による画面表示方法であって、
他の携帯端末との非接触通信を通じて前記複数の携帯端末を認識する認識ステップと、
元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に非接触通信によって通知する割当ステップと、
自己または他の携帯端末により割り当てられた分割画面の情報に基づいて、元の画面を自己の携帯端末に割り当てられた分割画面に加工し、加工した分割画面を表示部に表示する表示ステップと、を有する。
【００１０】
本発明のプログラムは、
複数の携帯端末の各々に元の画面を分割した分割画面を表示し、前記分割画面を連結して表示する携帯端末システムにおける前記複数の携帯端末のうちの１つの携帯端末に、
他の携帯端末との非接触通信を通じて前記複数の携帯端末を認識する認識手順と、
元の画面が自己の携帯端末に表示中の画面である場合、前記複数の携帯端末の各々に分割画面を割り当て、割り当てた分割画面の情報を、前記複数の携帯端末のうち自己の携帯端末以外の携帯端末に非接触通信によって通知する割当手順と、
自己または他の携帯端末により割り当てられた分割画面の情報に基づいて、元の画面を自己の携帯端末に割り当てられた分割画面に加工し、加工した分割画面を表示部に表示する表示手順と、を実行させる。
【発明の効果】
【００１１】
以上説明したように本発明によれば、複数の携帯端末の各々は、他の携帯端末との非接触通信を通じて、元の画面を分割した分割画面を表示しようとする複数の携帯端末を認識し、元の画面を自己の携帯端末に割り当てられた分割画面に加工して表示する。
【００１２】
したがって、ユーザは、複数の携帯端末の画面を連結することで、元の画面の全体を大きなサイズで見ることができるという効果が得られる。
【発明を実施するための最良の形態】
【００１３】
以下に、本発明を実施するための最良の形態について図面を参照して説明する。
【００１４】
（第１の実施形態）
図１を参照すると、本実施形態の携帯端末システムは、４つの携帯端末１００Ａ〜１００Ｄを有している。
【００１５】
本実施形態の携帯端末システムは、複数の携帯端末の各々に元の画面を分割した分割画面を表示し、分割画面を連結して元の画面を大きなサイズで表示しようとするものである。
【００１６】
なお、図１においては、携帯端末１００Ａ〜１００Ｄが４つであるが、携帯端末の数は４つに限定されず、複数であれば良い。
【００１７】
また、携帯端末１００Ａ〜１００Ｄは、例えば、携帯電話機等であるが、表示部を備えるものであればいかなる携帯端末であっても良い。
【００１８】
携帯端末１００Ａは、非接触通信部１１０と、認識処理部１４０1および割当処理部１４０2を含む連動動作部１４０と、画面加工部１５０と、表示部１６０と、を有している。
【００１９】
携帯端末１００Ａ内の上記構成要素は、次のような動作を行う。
【００２０】
非接触通信部１１０は、携帯端末１００Ｂ〜１００Ｄのうち、携帯端末１００Ａに近づけられて携帯端末１００Ａと一定の距離内にある携帯端末と非接触通信を行う。
【００２１】
連動動作部１４０は、非接触通信部１１０による非接触通信を通じて、元の画面の分割画面を表示しようとする複数の携帯端末（携帯端末１００Ａを含む）を認識する。
【００２２】
具体的には、例えば、携帯端末１００Ａが携帯端末１００Ｂ，１００Ｃと非接触通信を行っているとする。すると、連動動作部１４０は、携帯端末１００Ａ，１００Ｂ，１００Ｃで分割画面を表示することを認識する。さらに、携帯端末１００Ｄが携帯端末１００Ａとは非接触通信を行っていないものの、携帯端末１００Ｂ，１００Ｃと非接触通信を行っているとする。すると、連動動作部１４０は、携帯端末１００Ａが携帯端末１００Ｂ，１００Ｃを介して間接的に携帯端末１００Ｄと非接触通信を行っていると判断して、携帯端末１００Ａ，１００Ｂ，１００Ｃ，１００Ｄで分割画面を表示することを認識する。
【００２３】
そのために、連動動作部１４０は、携帯端末１００Ａが携帯端末１００Ｂ，１００Ｃと非接触通信中である旨の情報を、携帯端末１００Ｂ，１００Ｃ，１００Ｄに非接触通信部１１０を介して通知する。
【００２４】
上記動作は、連動動作部１４０内の認識処理部１４０1にて行われる。
【００２５】
また、連動動作部１４０は、表示部１６０に表示中の画面の分割画面を複数の携帯端末（携帯端末１００Ａを含む）で表示しようとする場合、複数の携帯端末の各々に分割画面を割り当て、複数の携帯端末の各々に割り当てた分割画面の情報を、複数の携帯端末のうち携帯端末１００Ａ以外の携帯端末に非接触通信部１１０を介して通知する。
【００２６】
上記動作は、連動動作部１４０内の割当処理部１４０2にて行われる。
【００２７】
画面加工部１５０は、自己または他の携帯端末により割り当てられた分割画面の情報に基づいて、元の画面を携帯端末１００Ａに割り当てられた分割画面に加工し、加工した分割画面を表示部１６０に表示する。
【００２８】
なお、図１には図示していないが、携帯端末１００Ｂ〜１００Ｄも、携帯端末１００Ａと同様に、非接触通信部１１０と、認識処理部１４０1および割当処理部１４０2を含む連動動作部１４０と、画面加工部１５０と、表示部１６０と、をそれぞれ有しているものとする。
【００２９】
上述したように本実施形態においては、携帯端末１００Ａ〜１００Ｄの各々は、他の携帯端末との非接触通信を通じて、元の画面を分割した分割画面を表示しようとする複数の携帯端末（自己の携帯端末を含む）を認識し、元の画面を自己の携帯端末に割り当てられた分割画面に加工して表示する。
【００３０】
したがって、ユーザは、これら複数の携帯端末の画面を連結することで、元の画面の全体を大きなサイズで見ることができる。
【００３１】
（第２の実施形態）
本実施形態は、図１に示した第１の実施形態と比較して、非接触通信部１１０の構成を具体化した点が異なり、その他の構成は第１の実施形態と同様である。
【００３２】
図２を参照すると、本実施形態の携帯端末システムにおいては、携帯端末１００Ａの非接触通信部１１０は、非接触ＩＣ１２０と、非接触ＩＣ読取部１３０と、を有している。
【００３３】
携帯端末１００Ａ内の上記構成要素は、次のような動作を行う。
【００３４】
非接触ＩＣ１２０は、携帯端末１００Ａの識別記号が予め書き込まれているが、追加の情報も書き込み可能なＲＦＩＤ（Radio Frequency Identification）タグ等である。
【００３５】
非接触ＩＣ読取部１３０は、携帯端末１００Ｂ〜１００Ｄの非接触ＩＣ１２０内の情報を非接触で読み取るＲＦＩＤリーダ等である。
【００３６】
連動動作部１４０は、携帯端末１００Ａが非接触通信を行う場合、携帯端末１００Ａから通知する情報を携帯端末１００Ａの非接触ＩＣ１２０に書き込み、携帯端末１００Ｂ〜１００Ｄから通知される情報を携帯端末１００Ｂ〜１００Ｄの非接触ＩＣ１２０から携帯端末１００Ａの非接触ＩＣ読取部１３０に読み取らせる。
【００３７】
なお、図２には図示していないが、携帯端末１００Ｂ〜１００Ｄの非接触通信部１１０も、携帯端末１００Ａと同様に、非接触ＩＣ１２０と、非接触ＩＣ読取部１３０と、をそれぞれ有しているものとする。
【００３８】
以下、図２に示した本実施形態の携帯端末システムの動作について説明する。
【００３９】
最初に、携帯端末１００Ａに表示中のＷｅｂサイトの画面（以下、Ｗｅｂ画面と称す）を分割した分割画面を、２つの携帯端末１００Ａ，１００Ｂに表示する場合の動作について、図３および図４を参照して説明する。
【００４０】
図３および図４を参照すると、まず、Ｗｅｂ画面を表示中の携帯端末１００Ａに、待ち受け画面を表示中の携帯端末１００Ｂを近づける。この状態では、携帯端末１００Ａ，１００Ｂとの非接触通信のみが可能であるとする。
【００４１】
すると、携帯端末１００Ａの非接触ＩＣ読取部１３０は、携帯端末１００Ｂの非接触ＩＣ１２０から携帯端末１００Ｂの識別記号を読み取る。そして、携帯端末１００Ａの連動動作部１４０は、携帯端末１００Ａが携帯端末１００Ｂとのみ非接触通信中である旨の情報を携帯端末１００Ａの非接触ＩＣ１２０に書き込む。携帯端末１００Ｂの連動動作部１４０は、携帯端末１００Ａの非接触ＩＣ１２０内の情報を、携帯端末１００Ｂの非接触ＩＣ読取部１３０に読み取らせ、携帯端末１００Ｂの非接触ＩＣ１２０に書き込む。このようにして、携帯端末１００Ａが携帯端末１００Ｂとのみ非接触通信中である旨の情報は、携帯端末１００Ａから携帯端末１００Ｂに通知される（ステップ４０１）。
【００４２】
同様にして、携帯端末１００Ｂは、携帯端末１００Ｂが携帯端末１００Ａとのみ非接触通信中である旨の情報を、携帯端末１００Ａに通知する（ステップ４０２）。
【００４３】
以上のようにして、携帯端末１００Ａ，１００Ｂの連動動作部１４０は、Ｗｅｂ画面の分割画面を表示するのが携帯端末１００Ａ，１００Ｂの２つであることを認識することができる（ステップ４０３，４０４）。
【００４４】
次に、携帯端末１００Ａの連動動作部１４０は、携帯端末１００Ａで表示中のＷｅｂ画面を２分割し、２分割した分割画面を携帯端末１００Ａ，１００Ｂに割り当てる（ステップ４０５）。さらに、携帯端末１００Ａの連動動作部１４０は、携帯端末１００Ａ，１００Ｂに割り当てた分割画面の情報（元のＷｅｂ画面のＵＲＬの情報や分割画面の位置の情報等）を、制御情報として携帯端末１００Ａの非接触ＩＣ１２０に書き込む。携帯端末１００Ａの非接触ＩＣ１２０内の制御情報は、ステップ４０１と同様の方法で、携帯端末１００Ａから携帯端末１００Ｂに通知される（ステップ４０６）。ここでは、携帯端末１００Ａに左側の位置の分割画面を、携帯端末１００Ｂに右側の位置の分割画面を、割り当てたとする。
【００４５】
その後、携帯端末１００Ａの画面加工部１５０は、元のＷｅｂ画面を、携帯端末１００Ａに割り当てられた左側の分割画面に加工し、加工した分割画面を携帯端末１００Ａの表示部１６０に表示する（ステップ４０７）。
【００４６】
同様にして、携帯端末１００Ｂは、元のＷｅｂ画面の右側の分割画面を表示する（ステップ４０８）。
【００４７】
したがって、ユーザは、携帯端末１００Ａ，１００Ｂの画面を連結することで、携帯端末１００Ａに表示中であった元のＷｅｂ画面の全体を大きなサイズで見ることができる。
【００４８】
次に、携帯端末１００Ａに表示中のテレビ画面を分割した分割画面を、４つの携帯端末１００Ａ〜１００Ｄに表示する場合の動作について、図５および図６を参照して説明する。
【００４９】
図５および図６を参照すると、まず、テレビ画面を表示中の携帯端末１００Ａに、待ち受け画面を表示中の３つの携帯端末１００Ｂ〜１００Ｄを近づける。この状態では、携帯端末１００Ａは携帯端末１００Ｂ，１００Ｃとのみ非接触通信が可能であり、携帯端末１００Ｄとは非接触通信ができないものとする。同様に、携帯端末１００Ｂは携帯端末１００Ａ，１００Ｄとのみ、携帯端末１００Ｃは携帯端末１００Ａ，１００Ｄとのみ、携帯端末１００Ｄは携帯端末１００Ｂ，１００Ｃとのみ、非接触通信が可能であるとする。
【００５０】
すると、携帯端末１００Ａの非接触ＩＣ読取部１３０は、携帯端末１００Ｂの非接触ＩＣ１２０から携帯端末１００Ｂの識別記号を読み取るとともに、携帯端末１００Ｃの非接触ＩＣ１２０から携帯端末１００Ｃの識別記号を読み取る。そして、携帯端末１００Ａの連動動作部１４０は、携帯端末１００Ａが携帯端末１００Ｂ，１００Ｃと非接触通信中である旨の情報を携帯端末１００Ａの非接触ＩＣ１２０に書き込む。携帯端末１００Ｂ，１００Ｃの連動動作部１４０は、携帯端末１００Ａの非接触ＩＣ１２０内の情報を、携帯端末１００Ｂ，１００Ｃの非接触ＩＣ読取部１３０に読み取らせ、携帯端末１００Ｂ，１００Ｃの非接触ＩＣ１２０に書き込む。携帯端末１００Ｄの連動動作部１４０は、携帯端末１００Ｂ，１００Ｃの非接触ＩＣ１２０内の情報を、携帯端末１００Ｄの非接触ＩＣ読取部１３０に読み取らせ、携帯端末１００Ｄの非接触ＩＣ１２０に書き込む。このようにして、携帯端末１００Ａが携帯端末１００Ｂ，１００Ｃと非接触通信中である旨の情報は、携帯端末１００Ａから携帯端末１００Ｂ，１００Ｃ，１００Ｄに通知される（ステップ６０１）。
【００５１】
同様にして、携帯端末１００Ｂは、携帯端末１００Ｂが携帯端末１００Ａ，１００Ｄと非接触通信中である旨の情報を、携帯端末１００Ａ，１００Ｃ，１００Ｄに通知する（ステップ６０２）。また、携帯端末１００Ｃは、携帯端末１００Ｃが携帯端末１００Ａ，１００Ｄと非接触通信中である旨の情報を、携帯端末１００Ａ，１００Ｂ，１００Ｄに通知する（ステップ６０３）。また、携帯端末１００Ｄは、携帯端末１００Ｄが携帯端末１００Ｂ，１００Ｃと非接触通信中である旨の情報を、携帯端末１００Ａ，１００Ｂ，１００Ｃに通知する（ステップ６０４）。
【００５２】
以上のようにして、携帯端末１００Ａ〜１００Ｄの連動動作部１４０は、テレビ画面の分割画面を表示するのが携帯端末１００Ａ〜１００Ｄの４つであることを認識することができる（ステップ６０５〜６０８）。
【００５３】
次に、携帯端末１００Ａの連動動作部１４０は、携帯端末１００Ａで表示中のテレビ画面を４分割し、４分割した分割画面を携帯端末１００Ａ〜１００Ｄに割り当てる（ステップ６０９）。さらに、携帯端末１００Ａの連動動作部１４０は、携帯端末１００Ａ〜１００Ｄに割り当てた分割画面の情報（元のテレビ画面のチャンネル情報や分割画面の位置の情報等）を、制御情報として携帯端末１００Ａの非接触ＩＣ１２０に書き込む。携帯端末１００Ａの非接触ＩＣ１２０内の制御情報は、ステップ６０１と同様の方法で、携帯端末１００Ａから携帯端末１００Ｂ，１００Ｃ，１００Ｄに通知される（ステップ６１０）。ここでは、携帯端末１００Ａに左上の位置の分割画面を、携帯端末１００Ｂに右上の位置の分割画面を、携帯端末１００Ｃに左下の位置の分割画面を、携帯端末１００Ｄに右下の位置の分割画面を、割り当てたとする。
【００５４】
その後、携帯端末１００Ａの画面加工部１５０は、元のテレビ画面を、携帯端末１００Ａに割り当てられた左上の分割画面に加工し、加工した分割画面を表示部１６０Ａに表示する（ステップ６１１）。
【００５５】
同様にして、携帯端末１００Ｂは、元のテレビ画面の右上の分割画面を表示する（ステップ６１２）。また、携帯端末１００Ｃは、元のテレビ画面の左下の分割画面を表示する（ステップ６１３）。また、携帯端末１００Ｄは、元のテレビ画面の右下の分割画面を表示する（ステップ６１４）。
【００５６】
したがって、ユーザは、携帯端末１００Ａ〜１００Ｄの画面を連結することで、携帯端末１００Ａに表示中であった元のテレビ画面の全体を大きなサイズで見ることができる。
【００５７】
（第３の実施形態）
本実施形態は、図２に示した第２の実施形態と比較して、非接触ＩＣ１２０を複数にした点が異なり、その他の構成は第２の実施形態と同様である。
【００５８】
第２の実施形態においては、例えば、図５において、携帯端末１００Ａは、携帯端末１００Ｂ，１００Ｃと非接触通信中であることから、携帯端末１００Ｂ，Ｃが一定の距離内に近づけられていること、すなわち携帯端末１００Ｂ，１００Ｃが隣接して配置されていることまでは認識することができる。
【００５９】
ただし、携帯端末１００Ａは、携帯端末１００Ｂ，１００Ｃの正確な位置関係、すなわち、携帯端末１００Ｂ，１００Ｃが携帯端末１００Ａの上下左右のいずれかに位置しているかといったことまでは認識できない。
【００６０】
そのため、携帯端末１００Ａは、携帯端末１００Ａに右下の分割画面を割り当ててしまう等、分割画面の割り当てを誤る可能性がある。
【００６１】
この場合、ユーザが、携帯端末１００Ａ〜１００Ｄの位置を手動で変更する必要があり、ユーザに手間が掛かってしまう。
【００６２】
そこで、本実施形態においては、図７に示すように、携帯端末１００Ａ〜１００Ｄの各々に、表示部１６０上の異なる位置に複数の非接触ＩＣ１２０を設ける。この場合、非接触ＩＣ１２０の各々には、自己の携帯端末の識別記号と自己が設けられた位置の位置情報とを予め書き込んでおくものとする。
【００６３】
具体的には、図７においては、表示部１６０が長方形の形状であるため、長方形の各辺に沿って、各辺の中央付近に、非接触ＩＣ１２０を設ける。これにより、表示部１６０の上下左右に計４つの非接触ＩＣ１２０が配置されることになる。
【００６４】
なお、図７においては、非接触ＩＣ１２０が４つであるが、非接触ＩＣ１２０の数は４つに限定されない。例えば、図３のように、２つの携帯端末１００Ａ，１００Ｂで分割画面を表示する場合には、非接触ＩＣ１２０は、表示部１６０の左右に計２つ配置すれば良い。また、非接触ＩＣ１２０の数を増やすことも当然に可能である。
【００６５】
ここで、図７に示すように、携帯端末１００Ａ〜１００Ｄの各々に４つの非接触ＩＣ１２０が設けられている状況で、図５に示すように、携帯端末１００Ａ〜１００Ｄの各々に分割画面を表示する場合の概略動作について説明する。
【００６６】
この場合、携帯端末１００Ａの非接触ＩＣ読取部１３０は、携帯端末１００Ｂの表示部１６０の左側に位置する非接触ＩＣ１２０から情報の読み取りを行い、携帯端末１００Ｃの表示部１６０の上側に位置する非接触ＩＣ１２０から情報の読み取りを行う。これにより、携帯端末１００Ａの連動動作部１４０は、携帯端末１００Ａの右側に携帯端末１００Ｂが位置し、下側に携帯端末１００Ｃが位置すると判断できる。そして、携帯端末１００Ａの連動動作部１４０は、携帯端末１００Ａが携帯端末１００Ｂ，１００Ｃと非接触通信中である旨の情報と、携帯端末１００Ａの右側に携帯端末１００Ｂが位置し下側に携帯端末１００Ｃが位置する旨の情報と、を携帯端末１００Ａの４つの非接触ＩＣ１２０の各々に書き込む。
【００６７】
同様にして、携帯端末１００Ｂ〜１００Ｄでも書込が行われる。例えば、携帯端末１００Ｂの４つの非接触ＩＣ１２０の各々には、携帯端末１００Ｂが携帯端末１００Ａ，１００Ｄと非接触通信中である旨の情報と、携帯端末１００Ｂの左側に携帯端末１００Ａが位置し下側に携帯端末１００Ｄが位置する旨の情報と、が書き込まれる。この情報を、携帯端末１００Ａの非接触ＩＣ読取部１３０が読み取ることにより、携帯端末１００Ａの連動動作部１４０は、携帯端末１００Ｂの下側に携帯端末１００Ｄが位置すると判断できる。
【００６８】
以上のようにして、携帯端末１００Ａの連動動作部１４０は、元のテレビ画面の分割画面を表示するのが携帯端末１００Ａ〜１００Ｄの４つであること、さらに、携帯端末１００Ａ〜１００Ｄの位置関係を認識することができる。携帯端末１００Ｂ〜１００Ｄの連動動作部１４０も、同様である。
【００６９】
そして、携帯端末１００Ａの連動動作部１４０は、携帯端末１００Ａ〜１００Ｄの位置関係に基づいて、携帯端末１００Ａ〜１００Ｄに分割画面を割り当てる。
【００７０】
したがって、携帯端末１００Ａの連動動作部１４０が、携帯端末１００Ａに右下の分割画面を割り当ててしまう等、分割画面の割り当てを誤ることがなくなるため、ユーザが、携帯端末１００Ａ〜１００Ｄの位置を手動で変更する手間を省くことができる。
【００７１】
上述したように第１〜第３の実施形態においては、携帯端末１００Ａ〜１００Ｄの各々は、他の携帯端末との非接触通信を通じて、元の画面を分割した分割画面を表示しようとする複数の携帯端末（自己の携帯端末を含む）を認識し、元の画面を自己の携帯端末に割り当てられた分割画面に加工して表示している。
【００７２】
この構成によれば、ユーザは、これら複数の携帯端末の画面を連結することで、元の画面の全体を大きなサイズで見ることができる。
【００７３】
また、第１〜第３の実施形態においては、携帯端末１００Ａ〜１００Ｄの各々は、自己の携帯端末と、自己の携帯端末と直接非接触通信を行う他の携帯端末と、自己の携帯端末と非接触通信を行う間接的に非接触通信を行うさらに他の携帯端末と、が元の画面の分割画面を表示する複数の携帯端末であることを認識する。
【００７４】
この構成によれば、携帯端末１００Ａ〜１００Ｄの各々は、自己の携帯端末と直接ではなく間接的にしか非接触通信を行うことができない他の携帯端末も含めて、分割画面を表示することができる。
【００７５】
また、第１〜第３の実施形態においては、携帯端末１００Ａ〜１００Ｄの各々は、自己の携帯端末と非接触通信を行う他の携帯端末の情報を、元の画面の分割画面を表示しようとする複数の携帯端末（自己の携帯端末を含む）のうち自己の携帯端末以外の携帯端末に通知することで、これら複数の携帯端末を認識する。
【００７６】
この構成によれば、携帯端末１００Ａ〜１００Ｄの各々は、自己の携帯端末と直接ではなく間接的にしか非接触通信を行うことができない他の携帯端末を、簡単な方法で認識することができる。
【００７７】
また、第２および第３の実施形態においては、携帯端末１００Ａ〜１００Ｄの各々は、非接触通信部１１０を、非接触ＩＣ１２０と非接触ＩＣ読取部１３０とで構成している。
【００７８】
この構成によれば、非接触通信部１１０を、簡単な構成で実現することができる。
【００７９】
また、第３の実施形態においては、携帯端末１００Ａ〜１００Ｄの各々は、表示部１６０上の異なる位置に複数の非接触ＩＣ１２０を設け、他の携帯端末から情報を読み取った非接触ＩＣ１２０の位置に応じて決まる他の携帯端末の位置の情報を相互に通知することで、元の画面の分割画面を表示しようとする複数の携帯端末の位置関係を認識する。
【００８０】
この構成によれば、携帯端末１００Ａ〜１００Ｄの各々は、分割画面を表示しようとする複数の携帯端末だけでなく、これら複数の携帯端末の位置関係までをも認識することができる。
【００８１】
また、第３の実施形態においては、携帯端末１００Ａ〜１００Ｄの各々は、分割画面を表示しようとする複数の携帯端末の位置関係に基づいて、これら複数の携帯端末の各々に分割画面を割り当る。
【００８２】
この構成によれば、携帯端末１００Ａ〜１００Ｄの各々は、分割画面を表示しようとする複数の携帯端末の位置関係を把握した上で割り当てを行うため、分割画面の割り当てを誤ることがなくなる。そのため、ユーザが、携帯端末１００Ａ〜１００Ｄの位置を手動で変更する手間を省くことができる。
【００８３】
なお、第１〜第３の実施形態においては、分割画面の制御情報に含める元の画面の情報は、Ｗｅｂ画面のＵＲＬやテレビ画面のチャンネル等、画面の所在を表す情報としたが、本発明はこれに限定されず、画面のデータそのものであっても良い。
【００８４】
また、第１〜第３の実施形態においては、分割画面の制御情報に、分割画面の表示方向を縦横方向のどちらにするか指定する情報を含めても良い。この場合、複数の携帯端末の画面を連結している状態において、その中の１つの携帯端末が表示方向の縦横切替を行うときには、切替を行う表示方向を指定する情報を制御情報に含めて、他の携帯端末に通知する。そうすると、他の携帯端末も、通知された制御情報を基に、追従して表示方向の縦横切替を行うことになる。その結果、複数の携帯端末の画面を連結している状態のまま、縦横切替を行うことができるようになる。
【００８５】
また、第２および第３の実施形態においては、非接触通信部１１０は、非接触ＩＣ１２０と非接触ＩＣ読取部１３０とからなる構成としたが、本発明はこれに限定されず、例えば、ブルートゥース通信を行うものであっても良い。
【００８６】
また、第１〜第３の実施形態の携帯端末１００Ａ〜１００Ｄは、上述のように専用のハードウェアにより実現されるもの以外に、その機能を実現するためのプログラムを、コンピュータ読み取り可能な記録媒体に記録して、この記録媒体に記録されたプログラムを読み込み、実行するものであってもよい。コンピュータ読み取り可能な記録媒体とは、フロッピーディスク、光磁気ディスク、ＣＤ−ＲＯＭ等の記録媒体、コンピュータに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータ内部の揮発性メモリのように、一定時間プログラムを保持しているものも含む。
【図面の簡単な説明】
【００８７】
【図１】本発明の第１の実施形態の携帯端末システムの構成を示すブロック図である。
【図２】本発明の第２の実施形態の携帯端末システムの構成を示すブロック図である。
【図３】図２に示した携帯端末システムの動作の一例を説明する図である。
【図４】図２に示した携帯端末システムの動作の一例を説明するフローチャートである。
【図５】図２に示した携帯端末システムの動作の他の例を説明する図である。
【図６】図２に示した携帯端末システムの動作の他の例を説明するフローチャートである。
【図７】本発明の第３の実施形態の携帯端末システムにおいて、複数の非接触ＩＣの配置の一例を説明する図である。
【符号の説明】
【００８８】
１００Ａ〜１００Ｂ    携帯端末
１１０    非接触通信部
１２０    非接触ＩＣ
１３０    非接触ＩＣ読取部
１４０    連動動作部
１４０1    認識処理部
１４０2    割当処理部
１５０    画面加工部
１６０    表示部
【図１】
2009094775.tif 000003
【図２】
2009094775.tif 000004
【図３】
2009094775.tif 000005
【図４】
2009094775.tif 000006
【図５】
2009094775.tif 000007
【図６】
2009094775.tif 000008
【図７】
2009094775.tif 000009